(57)【要約】【課題】  複数の画像データのファイルについて、一部を変更する処理を行う際に利便性の高い画像処理装置及び方法を提供する。【解決手段】  本発明は画像処理装置に関する。そして、本発明の画像処理装置は、画像データを取得する手段と、複数の画像データのファイルを記憶する手段と、記憶しているファイルの各画像データに画像識別情報を付与して管理する手段と、取得した画像データに画像識別情報を示す画像が含まれている場合、その画像識別情報に対応する画像データを取得し、記憶している画像データと取得した画像データの差分を抽出し、その差分と記憶している画像データの画像を合成して出力することを特徴とする。【選択図】      図１
2015144397.tif 000002
【特許請求の範囲】
【請求項１】
画像データを取得する画像取得手段と、
複数の画像データのファイルを記憶するファイル記憶手段と、
前記ファイル記憶手段が記憶する各ファイルの各画像データについて、当該画像データを識別可能な画像識別情報を付与して管理するファイル管理手段と、
前記画像取得手段で取得した画像データに、画像識別情報を示す画像が含まれているか否かを検出する識別情報検出手段と、
前記識別情報検出手段が、前記画像取得手段で取得した第１の画像データから、画像識別情報を示す画像を検出した場合、その画像識別情報に対応する第２の画像データを前記ファイル記憶手段から取得し、前記第１の画像データが表す第１の画像と、前記第２の画像データが表す第２の画像との差分を表す第３の画像を抽出し、前記第３の画像と前記第２の画像とを合成して第４の画像を生成し出力する画像処理手段とを有する、
ことを特徴とする画像処理装置。
【請求項２】
前記ファイル管理手段は、前記画像処理手段が前記第４の画像を生成し出力した場合、前記第２の画像データについて、生成した前記第４の画像を表す第４の画像データに置き換えて管理することを特徴とする請求項１に記載の画像処理装置。
【請求項３】
前記画像取得手段は、原稿を読取って画像データを生成するスキャナ部を備え、前記スキャナ部が生成した画像データを取得することを特徴とする請求項１に記載の画像処理装置。
【請求項４】
前記画像取得手段は、ファイルの添付された電子メールを受信することができる通信手段を備え、前記通信手段が取得した電子メールに添付されたファイルの画像データを取得することを特徴とする請求項１〜３のいずれかに記載の画像処理装置。
【請求項５】
前記ファイル記憶手段に記憶されている画像データについて、各画素の濃度が少なくとも元の画素以下となるように加工して濃度調整済の画像データを生成する濃度調整手段と、
前記濃度調整手段が生成した濃度調整済の画像データに基づく画像を媒体に画像形成して出力する画像形成手段とをさらに備える
ことを特徴とする請求項１〜４のいずれかに記載の画像処理装置。
【請求項６】
前記濃度調整手段が生成した濃度調整済の画像データの画像に、当該濃度調整済の画像データに係る画像識別情報を表す画像を追加した画像識別情報追加済の画像データを生成する画像識別情報追加手段をさらに備え、
前記画像形成手段は、画像識別情報追加手段が生成した、画像識別情報追加済の画像データに基づく画像を媒体に画像形成して出力する
ことを特徴とする請求項４に記載の画像処理装置。
【請求項７】
前記ファイル記憶手段に記憶されている画像データについて、各画素の輝度が元の画素以上となるように加工して輝度調整済の画像データを生成する輝度調整手段をと
前記輝度調整手段が生成した輝度調整済の画像データを外部装置に送信する送信手段と
をさらに備えることを特徴とする請求項１〜３のいずれかに記載の画像処理装置。
【請求項８】
前記輝度調整手段が生成した輝度調整済の画像データの画像に、当該輝度調整済の画像データに係る画像識別情報を表す画像を追加した画像識別情報追加済の画像データを生成する画像識別情報追加手段をさらに備え、
前記送信手段は、画像識別情報追加手段が生成した画像識別情報追加済の画像データを外部装置に送信する
ことを特徴とする請求項６に記載の画像処理装置。
【請求項９】
前記画像処理手段は、前記第１の画像の画像から、画像識別情報を表す画像を除去してから、前記第２の画像との差分を抽出する処理を行うことを特徴とする請求項１〜７のいずれかに記載の画像処理装置。
【請求項１０】
画像処理方法において、
画像取得手段、ファイル記憶手段、ファイル管理手段、識別情報検出手段、及び画像処理手段を有し、
前記画像取得手段は、画像データを取得し、
前記ファイル記憶手段は、複数の画像データのファイルを記憶し、
前記ファイル管理手段は前記ファイル記憶手段が記憶する各ファイルの各画像データについて、当該画像データを識別可能な画像識別情報を付与して管理し、
前記識別情報検出手段は、前記画像取得手段で取得した画像データに、画像識別情報を示す画像が含まれているか否かを検出し、
前記画像処理手段は、前記識別情報検出手段が、前記画像取得手段で取得した第１の画像データから、画像識別情報を示す画像を検出した場合、その画像識別情報に対応する第２の画像データを前記ファイル記憶手段から取得し、前記第１の画像データが表す第１の画像と、前記第２の画像データが表す第２の画像との差分を表す第３の画像を抽出し、前記第３の画像と前記第２の画像とを合成して第４の画像を生成し出力する、
ことを特徴とする画像処理方法。
【発明の詳細な説明】
【技術分野】
【０００１】
本発明は、画像処理装置及び方法に関し、例えば、ＭＦＰ（Ｍｕｌｔｉｆｕｎｃｔｉｏｎ  Ｐｒｉｎｔｅｒ）等でスキャナにより読取ったドキュメントを構成する画像データの管理に適用し得る。
【背景技術】
【０００２】
従来のＭＦＰでは、原稿をスキャナで読み取り、その原稿の画像データを複数ページまとめたドキュメントファイルとして保存するものがある（特許文献１参照）。
【先行技術文献】
【特許文献】
【０００３】
【特許文献１】特開２０１２−１７５６１８号公報
【発明の概要】
【発明が解決しようとする課題】
【０００４】
しかしながら、従来のドキュメントファイルを保存可能なＭＦＰでは、既に保存したドキュメントファイルの一部のページのみを変更した場合でも、記録済みのドキュメントファイルを削除した後、変更したページを含む全てのページを再度スキャナで読み取って新規に登録するか、変更したページのみをスキャナで読み取り、新規ドキュメントとして変更前のドキュメントファイルとは別に記録しなければならなかった。
【０００５】
そのため、複数の画像データのファイルについて、一部を変更する処理を行う際に利便性の高い画像処理装置及び方法が望まれている。
【課題を解決するための手段】
【０００６】
第１の本発明の画像処理装置は、（１）画像データを取得する画像取得手段と、（２）複数の画像データのファイルを記憶するファイル記憶手段と、（３）前記ファイル記憶手段が記憶する各ファイルの各画像データについて、当該画像データを識別可能な画像識別情報を付与して管理するファイル管理手段と、（４）前記画像取得手段で取得した画像データに、画像識別情報を示す画像が含まれているか否かを検出する識別情報検出手段と、（５）前記識別情報検出手段が、前記画像取得手段で取得した第１の画像データから、画像識別情報を示す画像を検出した場合、その画像識別情報に対応する第２の画像データを前記ファイル記憶手段から取得し、前記第１の画像データが表す第１の画像と、前記第２の画像データが表す第２の画像との差分を表す第３の画像を抽出し、前記第３の画像と前記第２の画像とを合成して第４の画像を生成し出力する画像処理手段とを有することを特徴とする。
【０００７】
第２の本発明は、画像処理装置が行う画像処理方法において、（１）画像取得手段、ファイル記憶手段、ファイル管理手段、識別情報検出手段、及び画像処理手段を有し、（２）前記画像取得手段は、画像データを取得し、（３）前記ファイル記憶手段は、複数の画像データのファイルを記憶し、（４）前記ファイル管理手段は、前記ファイル記憶手段が記憶する各ファイルの各画像データについて、当該画像データを識別可能な画像識別情報を付与して管理し、（５）前記識別情報検出手段は、前記画像取得手段で取得した画像データに、画像識別情報を示す画像が含まれているか否かを検出し、（６）前記画像処理手段は、前記識別情報検出手段が、前記画像取得手段で取得した第１の画像データから、画像識別情報を示す画像を検出した場合、その画像識別情報に対応する第２の画像データを前記ファイル記憶手段から取得し、前記第１の画像データが表す第１の画像と、前記第２の画像データが表す第２の画像との差分を表す第３の画像を抽出し、前記第３の画像と前記第２の画像とを合成して第４の画像を生成し出力することを特徴とする。
【発明の効果】
【０００８】
本発明によれば、複数の画像のファイルについて、一部を変更する処理を行う際に利便性の高い画像処理装置及び方法を提供することができる。
【図面の簡単な説明】
【０００９】
【図１】第１の実施形態に係るＭＦＰの機能的構成について示したブロック図である。
【図２】第１の実施形態に係るドキュメントファイル記録部のディレクトリ構成について示した説明図である。
【図３】第１の実施形態に係るドキュメント情報記録部に記録されているドキュメント情報について示した説明図である。
【図４】第１の実施形態に係るドキュメントファイルの構成例について示した説明図である。
【図５】第１の実施形態に係るドキュメント情報の構成例について示した説明図である。
【図６】第１の実施形態に係るＷｅｂページ制御部が情報端末に対して提供する操作画面（Ｗｅｂページ）の構成例について示した説明図である。
【図７】第１の実施形態に係る印刷データ生成部が印刷データ生成の際に用いる濃度特性をグラフ形式で示した説明図である。
【図８】第１の実施形態に係るＭＦＰにおいて、スキャナ部が新たな原稿を読み取った場合の動作について示したフローチャートである。
【図９】第１の実施形態に係るＭＦＰが、ユーザの操作（情報端末）に応じて、ドキュメントファイルを印刷する動作について示したフローチャートである。
【図１０】第１の実施形態に係るＭＦＰで処理される画像の遷移について示した説明図（その１）である。
【図１１】第１の実施形態に係るＭＦＰで処理される画像の遷移について示した説明図（その２）である。
【図１２】第１の実施形態に係るＭＦＰで処理される画像の遷移について示した説明図（その３）である。
【図１３】第２の実施形態に係るＭＦＰの機能的構成について示したブロック図である。
【図１４】第２の実施形態に係るダウンロードファイル生成部によって生成された変更用ダウンロードファイルの構成例である。
【図１５】第２の実施形態に係るダウンロードファイル生成部が変更用ダウンロードファイル生成の際に用いる輝度特性をグラフ形式で示した説明図である。
【図１６】第２の実施形態に係るＭＦＰがＥメール通信部で、Ｅメールを受信した場合の動作について示したフローチャートとなっている。
【図１７】第２の実施形態に係るＭＦＰが、ユーザの操作（情報端末）に応じて、ドキュメントファイルに基づく変更用ダウンロードファイルをダウンロードさせる動作について示したフローチャートである。
【発明を実施するための形態】
【００１０】
（Ａ）第１の実施形態
以下、本発明による画像処理装置及び方法の第１の実施形態を、図面を参照しながら詳述する。この実施形態では、本発明の画像形成装置をＭＦＰに適用した例について説明する。
【００１１】
（Ａ−１）第１の実施形態の構成
図１は、第１の実施形態にＭＦＰ１の機能的構成について示したブロック図である。
【００１２】
図１に示すように、ＭＦＰ１は、ネットワーク４に接続されており、ネットワーク４を経由して情報端末３と通信が可能となっている。情報端末３は、例えば、外部装置であるパーソナルコンピュータ（以下、ＰＣと省略）やスマートフォン．タブレットＰＣなどの端末を適用することができる。外部装置としての情報端末３は、インターネットやイントラネットなどのネットワーク４経由でＭＦＰ１と接続されており、情報端末３にはＷｅｂページを閲覧するためのＷｅｂブラウザ３１がインストールされている。
【００１３】
図１に示すように、ＭＦＰ１は、操作部１０、スキャナ部２０、ドキュメントファイル生成部３０、プリンタ部４０、ネットワーク制御部５０、Ｗｅｂページ制御部６０、記憶部７０、ドキュメント情報検出部８０、ドキュメント情報削除部９０、ドキュメント管理部１００、ドキュメント情報生成部１１０、及び印刷データ生成部１２０を有している。
【００１４】
操作部１０は、ユーザの操作を受付けたり、ユーザへ情報提示することができるユーザインタフェースとして機能するものである。操作部１０は、例えば、操作画面を提供可能なタッチパネルディスプレイやハードキー等により構成されている。
【００１５】
スキャナ部２０は、原稿台（Ｆｌａｔ  Ｂｅｄ）または自動給紙装置（Ａｕｔｏ  Ｄｏｃｕｍｅｎｔ  Ｆｅｅｄｅｒ）で原稿を読み取り、読み取った原稿から画像データを生成するものである。
【００１６】
ドキュメントファイル生成部３０は、スキャナ部２０で生成された画像データから、ＴＩＦＦ（Ｔａｇｇｅｄ  ｌｍａｇｅ  Ｆｉｌｅ  Ｆｏｒｍａｔ）形式等のドキュメントファイルＤＦを生成するために必要となる画像処理を行うものである。なお、ドキュメントファイル生成部３０が生成するドキュメントファイルＤＦの形式はＴＩＦＦに限定されないものである。
【００１７】
プリンタ部４０は、供給された印刷データに基づいて媒体（印刷用紙）に印刷(画像形成)する処理を行うものである。
【００１８】
ネットワーク制御部５０は、ネットワーク通信全般の制御を行うものである。
【００１９】
Ｗｅｂページ制御部６０は、ＭＦＰ１内に内蔵したＷｅｂページを制御するものである。Ｗｅｂページ制御部６０は、情報端末３（Ｗｅｂブラウザ３１）にＷｅｂ画面を提供するものであり、例えば、Ｗｅｂサーバのアプリケーション等により実現することができる。
【００２０】
記憶部７０は、ハードディスクドライブ（ＨＤＤ）、ソリッドステートドライブ（ＳＳＤ）、フラッシュＲＯＭ等の記憶媒体で構成される記憶手段である。記憶部７０は、ドキュメントファイル記録部７１及びドキュメント情報記録部７２のデータを記憶している。
【００２１】
ドキュメントファイル記録部７１は、ドキュメントファイル生成部３０で生成されたドキュメントファイルＤＦを記録するものである。
【００２２】
ドキュメント情報記録部７２は、ドキュメントファイル記録部７１に記録されているドキュメントファイルＤＦとドキュメントファイルＤＦの登録されている場所を対応付けるための情報であるドキュメント情報ＤＩを記録するものである。言い換えると、ドキュメント情報ＤＩは、各ドキュメントファイルＤＦを構成する各ページの画像データを識別（管理）するための識別情報（以下、「画像識別情報」とも呼ぶ）となっている。ドキュメント情報ＤＩの詳細構成については後述する。
【００２３】
ドキュメント情報検出部８０は、スキャナ部２０で原稿を読取った画像データにおける所定の領域内（この実施形態では各ページの画像の左上の端部）の画像パターンから、ドキュメント情報ＤＩを検出する処理を行うものである。
【００２４】
ドキュメント情報削除部９０は、ドキュメント情報検出部８０によって検出されたドキュメント情報ＤＩの画像を削除する処理を行うものである。
【００２５】
ドキュメント管理部１００は、ドキュメント情報記録部７２に記録されているドキュメント情報ＤＩを用いてドキュメントファイル記録部７１に記録されているドキュメントファイルＤＦの管理を行うものである。
【００２６】
ドキュメント情報生成部１１０は、出力データに付加するドキュメント情報ＤＩを生成するものである。
【００２７】
印刷データ生成部１２０は、変更用印刷ドキュメントＰＤの印刷データを生成する際に、ドキュメントファイルＤＦの各ページの画像データを構成する各画素について、少なくとも元の画素以下の濃度となるように濃度調整を行う。具体的には、印刷データ生成部１２０は、ドキュメントファイル記録部７１に記録されているドキュメントファイルＤＦの元の最大濃度に対し、最大濃度がそれ以下の所定濃度（例えば、最大濃度の５０％以下）となる様に制限して、変更された箇所と元画像部分との判別性を良好とし、さらにドキュメント情報生成部１１０で生成されたドキュメント情報ＤＩの画像を付加した印刷データを変更用印刷ドキュメントＰＤの印刷データとして生成する。
【００２８】
次に、ドキュメントファイル記録部７１のディレクトリ構成について説明する。
【００２９】
図２は、ドキュメントファイル記録部７１のディレクトリ構成について示した説明図である。また、図３は、ドキュメント情報記録部７２に記録されているドキュメント情報ＤＩについて示した説明図である。
【００３０】
ドキュメントファイル記録部７１では、各ユーザＩＤと同一名のユーザディレクトリＵＤ内に、ユーザが登録したドキュメント番号と同一名のドキュメント番号ディレクトリＮＤが存在する構成となっている。ドキュメントファイルＤＦは、各ドキュメント番号ディレクトリＮＤ内に１つ格納されている。この実施形態では、各ドキュメントファイルＤＦは、１又は複数ページの画像データをまとめたＴＩＦＦ形式のファイルであるものとして説明するが、画像データごとに別の形式の画像データ（例えばビットマップ形式、ＪＰＥＧ形式、ＰＤＦ等）として保持するようにしてもよい。
【００３１】
ドキュメント情報記録部７２は、ドキュメントファイルＤＦごとに、ユーザＩＤ、ドキュメント番号、各ドキュメントの総ページ数、及びドキュメントファイル名の各項目の情報が関連付けられて記録されている。
【００３２】
図４は、ドキュメントファイルＤＦの構成例について示した説明図である。
【００３３】
図４は、ドキュメントファイル記録部７１に記録されている総ページ数５ページのドキュメントファイルＤＦについて印刷処理等を行う例について示している。図４（Ａ）に示すように、ドキュメントファイルＤＦは、総ページ数５枚のドキュメントである。
【００３４】
図４（Ｂ）は、印刷データ生成部１２０によって生成されたドキュメントファイル変更用の印刷データをプリンタ部４０によって印刷した変更用印刷ドキュメントＰＤを図示したものである。ユーザは印刷された変更用印刷ドキュメントＰＤに対して変更（手書きでの内容追加）を加えることができる。なお、各ページに付記されるドキュメント情報ＤＩは、予め規定された形式の英数字の画像パターンが利用されるものとする。また、ドキュメント情報ＤＩを付加する位置と領域に関しても、予め規定されているものとする。図４の例ではページの左上の端に配置された「１２３４ＡＢ  ０００１  ０１」等の英数字がドキュメント情報ＤＩとなっている。
【００３５】
図４（Ｃ）は、ユーザによって変更が加えられた変更用印刷ドキュメントＰＤ（以下、このユーザによる変更後のものを「変更済みドキュメントＣＤ」とも呼ぶ）を図示したものである。図４（Ｃ）に示す変更済みドキュメントＣＤは、図４（Ｂ）の変更用印刷ドキュメントＰＤの１、３、５ページに変更が加えられたドキュメントとなっている。すなわち、変更済みドキュメントＣＤは、変更用印刷ドキュメントＰＤのうち、ユーザにより変更が加えられたページのみで構成されるものとする。ＭＦＰ１では、ユーザから、変更が加えられたページ（変更済みドキュメントＣＤ）のみのスキャン（スキャナ部２０でのスキャン）を受付けることができる。
【００３６】
図５は、ドキュメント情報ＤＩの構成例について示した説明図である。
【００３７】
ドキュメント情報ＤＩは、ユーザＩＤ、ドキュメントおよび、ページ番号の３つの情報の組み合わせについて、英数字で表した内容となっている。例えば、図５に示す、ドキュメント情報ＤＩは、「１２３４ＡＢ  ０００１  ０１」となっている。このうち「１２３４ＡＢ」は当該ページを作成したユーザ名を示している。また、「０００１」は当該ページが属するドキュメントファイルＤＦの名称を示している。さらに「０１」は当該ページのページ番号（ドキュメントファイルＤＦにおけるページ番号）を示している。すなわち、ドキュメント情報ＤＩは、当該画像データの保存先（ドキュメントファイルＤＦ及び当該画像データのページ数）を示している。言い換えると、ドキュメント情報ＤＩは、ドキュメントファイル記録部７１内部での各画像データ（ドキュメントファイルＤＦを構成する画像データ）の識別情報として機能している。したがって、ドキュメント情報記録部７２では、１行で１つのドキュメントファイルＤＦを構成する各ページの画像データに係るドキュメント情報ＤＩが管理されていることになる。
【００３８】
次に、Ｗｅｂページ制御部６０が情報端末３（Ｗｅｂブラウザ３１）に対して提供する操作画面（Ｗｅｂページ）の構成例について図６を用いて説明する。
【００３９】
図６（Ａ）は、ドキュメントファイルＤＦの一覧を表示させるためのログイン画面の構成例である。
【００４０】
図６（Ａ）のログイン画面では、ユーザＩＤ及びパスワードが入力可能なフィールドＦ１０１、Ｆ１０２が配置されている。Ｗｅｂページ制御部６０は、図６（Ａ）のログイン画面を用いてユーザ認証を行う。なお、Ｗｅｂページ制御部６０がユーザ認証を行う具体的構成については限定されないものであり、例えば、図示しない認証サーバに問い合わせて認証を行うようにしてもよい。
【００４１】
図６（Ｂ）は、ログイン画面からログインしたユーザが、印刷および、ダウンロード可能なドキュメントファイルＤＦの一覧を表示する画面（以下、「ドキュメント一覧表示画面」と呼ぶ）の例である。
【００４２】
ドキュメント一覧表示画面には、ドキュメント情報記録部７２に記録されているドキュメントファイルＤＦごとに「ドキュメント番号」、「総ページ数」、「ファイル名」が表示されている、図６（Ｂ）では、１行で１つのドキュメントファイルＤＦの情報が表示されており、各ドキュメントファイルＤＦに対応する行には、当該ドキュメントファイルＤＦを選択するためのチェックボックスＣＢが配置されている。
【００４３】
そして、ドキュメント一覧表示画面には、選択したドキュメントファイルＤＦ（チェックボックスＣＢにより選択したもの）を印刷するための印刷ボタンＢ２０１、選択したドキュメントファイルＤＦをダウンロードするためのダウンロードボタンＢ２０２、選択したドキュメントファイルＤＦを変更用に印刷するための変更用印刷ボタンＢ２０３、選択したドキュメントファイルＤＦを変更用にダウンロードするための変更用ダウンロードボタンＢ２０４が配置されている。
【００４４】
次に、印刷データ生成部１２０が印刷データを生成する際の濃度特性（濃度調整の方法）について図７を用いて説明する。
【００４５】
図７は、印刷データ生成部１２０が印刷データ生成の際に用いる濃度特性をグラフ形式で図示したものである。
【００４６】
図７のグラフは、横軸が入力される画素値の濃度（ドキュメントファイルＤＦを構成する画像データの画素値が示す濃度）を示しており、縦軸が入力される画素値の濃度に対して出力される画素の濃度（生成する印刷データの画素の濃度）を示している。
【００４７】
印刷データ生成部１２０は、ドキュメントファイルＤＦを通常印刷する場合の印刷データ生成には、通常印刷用の濃度特性Ｌ１１を用い、入力値に対し１００％の出力を行う。一方、印刷データ生成部１２０は、変更用印刷ドキュメントＰＤとして印刷する場合の印刷データの生成には、変更印刷用の濃度特性Ｌ１２を用いる。濃度特性Ｌ１２は薄い部分（濃度の低い部分）の再現性を極力維持しつつ最大出力濃度が最大入力濃度の５０％となる様に調整されている。
【００４８】
例えば、ドキュメントファイルＤＦの各ページの画像データの画素の画素値が０〜２５５の間のいずれかの値で示される場合（例えば黒色１色のグレイスケールで示される画像データ）の例について説明する。印刷データ生成部１２０は、ドキュメントファイルＤＦを通常印刷する場合、濃度特性Ｌ１１に基づき、元となる各ページの画像データの画素値をそのまま印刷データに適用する。一方、印刷データ生成部１２０は、ドキュメントファイルＤＦを、変更用印刷ドキュメントＰＤとして印刷する場合、濃度特性Ｌ１２に基づいて、印刷データの最大出力濃度を最大入力濃度の５０％（＝２５５＊０．５≒１２７）以下となるように調整する。また、印刷データ生成部１２０は、ドキュメントファイルＤＦを、変更用印刷ドキュメントＰＤとして印刷する場合、濃度特性Ｌ１２に基づいて、入力が薄い部分についても再現性を極力維持するように調整する。図７に示すように、濃度特性Ｌ１２では、入力の画素値の濃度が低い領域では、出力濃度をほぼ入力濃度と同じ値となるように調整されている。
【００４９】
なおこの実施形態では、変更用印刷ドキュメントＰＤの印刷時の最大出力濃度値を最大入力濃度値の５０％として説明したが、５０％以外の値を用いることも可能である。
【００５０】
ドキュメント情報検出部８０は、ドキュメント情報ＤＩを付加する時に使用する画像パターンと同一の画像パターンで、画像データ上の予め規定されている領域内をパターンマッチング処理し、ドキュメント情報ＤＩの英数字を特定するようにしてもよいし、ＯＣＲ処理するようにしてもよい。更に、ドキュメント情報生成部１１０が生成するドキュメント情報ＤＩをバーコード等の符号を示す画像で実現し、ドキュメント情報検出部８０にバーコード読み取り処理を用いることも可能である。
【００５１】
以上のように、第１の実施形態では、スキャナ部２０が画像取得手段として機能する。また、第１の実施形態では、記憶部７０がファイル記憶手段として機能する。さらに、第１の実施形態では、ドキュメント管理部１００がファイル管理手段として機能する。さらにまた、第１の実施形態では、ドキュメント情報検出部８０が識別情報検出手段として機能する。また、第１の実施形態では、ドキュメントファイル生成部３０、ドキュメント情報削除部９０及び印刷データ生成部１２０が、画像処理手段、濃度調整手段、及び画像識別情報追加手段として機能する。
【００５２】
（Ａ−２）第１の実施形態の動作
次に、以上のような構成を有する第１の実施形態のＭＦＰ１の動作について図８、図９のフローチャートを用いて説明する。
【００５３】
図８は、ユーザによってスキャナ部２０で新たな原稿が読み取られた場合のＭＦＰ１の動作について示している。図８では、ＭＦＰ１で、変更用印刷ドキュメントＰＤとして印刷された後変更が加えられた変更済みドキュメントＣＤ（ドキュメント情報ＤＩが付記されたドキュメント）が読み取られた場合、及び、新規の原稿（ドキュメント情報ＤＩが付記されていない原稿）が読み込まれた場合の動作について示している。
【００５４】
まず、ユーザによりスキャナ部２０に原稿（変更済みドキュメントＣＤ又は、通常の原稿）がセットされたものとする。次に、ユーザにより操作部１０が操作され、スキャナ部２０によりスキャン（原稿の読取）が開始されたものとする。このとき、スキャナ部２０は、原稿をページごとにスキャンして画像データに変換して取得する（Ｓ１０１）。
【００５５】
次に、ドキュメント情報検出部８０は、スキャナ部２０が取得した各ページの画像データの所定の領域（各ページの左上の端の領域）に、予め規定された形式の英数字の画像パターンで構成されるドキュメント情報ＤＩの検出を試みる（Ｓ１０２）。
【００５６】
そして、ＭＦＰ１は、スキャンした画像データからドキュメント情報ＤＩを検出した場合後述するステップＳ１０４から動作し、検出しなかった場合、後述するステップＳ１１０から動作する。
【００５７】
ドキュメント情報検出部８０が、ドキュメント情報ＤＩを検出した場合（Ｓ１０３：Ｙｅｓ）、ドキュメント管理部１００は、ドキュメント情報検出部８０が検出した英数字の組み合わせと一致するドキュメント情報ＤＩが、ドキュメント情報記録部７２に記録されているかを検索する。そして、ドキュメント情報検出部８０は、スキャン画像の元となったドキュメントファイルＤＦが記録されているディレクトリを取得する（Ｓ１０４）。
【００５８】
次に、ドキュメントファイル生成部３０が、ドキュメントファイルＤＦの記録場所をドキュメント管理部１００から取得し、ドキュメントファイル記録部７１からドキュメントファイルＤＦを取得する（Ｓ１０５）。
【００５９】
次に、ドキュメント情報削除部９０が、スキャン画像から検出したドキュメント情報ＤＩの部分を、背景色の画素で塗りつぶすことにより、ドキュメント情報ＤＩを除去する（Ｓ１０６）。
【００６０】
次に、ドキュメントファイル生成部３０が、スキャン画像をドキュメントファイルＤＦと同じサイズかつ、同じ解像度の画像へ変換後、スキャン画像の最大濃度レベルの５０％より濃度が低い部分（明るい部分）を除去し、ユーザが変更した部分（ユーザが描き加えた部分）を画像として抽出する（Ｓ１０７）。
【００６１】
次に、ドキュメントファイル生成部３０が、抽出した画像を元のドキュメントファイルＤＦの画像データと合成する（Ｓ１０８）。
【００６２】
次に、ドキュメントファイル生成部３０は、変更したドキュメントファイルＤＦを、ドキュメントファイル記録部７１内の元のディレクトリヘ記録する（Ｓ１０９）。
【００６３】
一方、ドキュメント情報検出部８０が、ドキュメント情報ＤＩを検出しなかった場合（Ｓ１０３：Ｎｏ）、操作部１０が、ドキュメントファイルＤＦを新規登録するかをユーザに確認する操作画面を表示し（Ｓ１１０）、ユーザから新規登録の要否を受付ける（Ｓ１１１）。
【００６４】
操作部１０が、ユーザに新規にドキュメントファイルＤＦを登録するか否かを問い合わせる方式については限定されないものであるが、例えば、図示しないタッチパネル画面を用いた操作画面により、ユーザ操作を受付ける方式としてもよい。ＭＦＰ１では、ドキュメントファイルＤＦを新規登録する旨を受付けた場合後述するステップＳ１１２から動作し、そうでない場合には、今回読込んだ画像データに係る処理を終了するものとする。なお、ＭＦＰ１では、新規登録の要否確認の処理（ステップＳ１１０及びＳ１１１の処理）を省略するようにしてもよい。
【００６５】
上述のステップＳ１１１でユーザが、ドキュメントファイルＤＦの新規登録を選択した場合（Ｓ１１１：Ｙｅｓ）、操作部１０が、ユーザに新規のドキュメントファイルＤＦに係るユーザＩＤとファイル名の入力を要求し（Ｓ１１２）、入力を受付ける（Ｓ１１３）。操作部１０が、ユーザからユーザＩＤとファイル名の入力を受付ける具体的な構成については限定されないものであるが、例えば、図示しないタッチパネル画面を用いて、ソフトウェアキーボード等のインタフェース（操作画面）により入力を受付けるようにしてもよい。
【００６６】
ユーザからユーザＩＤ及びファイル名の入力を受付けると、ドキュメント管理部１００は、ドキュメント情報記録部７２内のドキュメント情報ＤＩを確認し、入力されたユーザＩＤに係る一番新しいドキュメント番号（一番大きい値のドキュメント番号）に１を足した値を、新規のドキュメントファイルＤＦに係るドキュメント番号として取得する。また、ドキュメント管理部１００は、スキャナ部２０が読み取った原稿枚数を、新規のドキュメントファイルＤＦに係る総ページ数として取得する。さらに、ドキュメント管理部１００は、入力されたファイル名を新規のドキュメントファイルＤＦに係るファイル名として取得する。そして、新規のドキュメントファイルＤＦは、新規のドキュメントファイルＤＦにかかる上述の情報を含むドキュメント情報ＤＩを新規に作成し、ドキュメント情報記録部７２に登録する（Ｓ１１４、Ｓ１１５）。
【００６７】
次に、ドキュメント管理部１００は、新規に作成したドキュメント情報ＤＩに対応したディレクトリを、ドキュメントファイル記録部７１内に新規に作成する（Ｓ１１６）。
【００６８】
次に、ドキュメントファイル生成部３０は、スキャン画像から新規のドキュメントファイルＤＦを作成し（Ｓ１１７）、ドキュメントファイル記録部７１にドキュメントファイルＤＦを記録する（Ｓ１１８）。
【００６９】
ＭＦＰ１では、上述のように、ユーザによって変更が加えられた変更済みドキュメントＣＤが、スキャナ部２０でスキャンされた場合、ドキュメントファイル記録部７１に記録されている元のドキュメントファイルＤＦで変更されたページのみを変更する。
【００７０】
図９は、ＭＦＰ１が、ユーザの操作（情報端末３）に応じて、ドキュメントファイルＤＦを印刷する動作について示したフローチャートである。
【００７１】
まず、ユーザが情報端末３（Ｗｅｂブラウザ３１）を用いて、ＭＦＰ１（Ｗｅｂページ制御部６０）にアクセス（所定のＵＲＬを用いてアクセス）してきたものとする。このとき、Ｗｅｂページ制御部６０は、ログイン画面のＷｅｂページ（上述の図６（Ａ））を、情報端末３（Ｗｅｂブラウザ３１）に送信して表示（ユーザに提示）させ（Ｓ１２１）、ユーザＩＤ及びパスワードの入力を受付けログインが成功（認証が成功）したものとする（Ｓ１２２）。
【００７２】
ログイン完了すると、Ｗｅｂページ制御部６０は、当該ユーザＩＤのユーザが印刷および、ダウンロード可能なドキュメントファイルＤＦの一覧を表示するドキュメント一覧表示画面のＷｅｂページ（上述の図６（Ｂ））を、情報端末３（Ｗｅｂブラウザ３１）に送信して表示（ユーザに提示）させる（Ｓ１２３）。
【００７３】
そして、ユーザ操作により、ドキュメント一覧表示画面で、いずれかのドキュメントファイルＤＦが選択され、変更用印刷ボタンＢ２０３が押下されたものとする（Ｓ１２４）。
【００７４】
変更用印刷ボタンＢ２０３が押下されると、ドキュメント管理部１００は、選択されたドキュメントファイルＤＦのドキュメント情報ＤＩを、ドキュメント情報生成部１１０に生成させる（Ｓ１２５）。
【００７５】
印刷データ生成部１２０は、ドキュメントファイル記録部７１に記録されている選択されたドキュメントファイルＤＦに対し、変更印刷用の濃度特性（上述の図７に示す濃度特性Ｌ１２）を用いて、最大濃度を低く抑えた画像に、ドキュメント情報生成部１１０が生成したドキュメント情報ＤＩの画像を付加した画像データ（変更用印刷ドキュメントＰＤの印刷データ）を生成する（Ｓ１２６）。
【００７６】
なお、変更用印刷ドキュメントＰＤに付加されるドキュメント情報ＤＩは、判読性を維持させる必要があるため出力濃度の調整は行わないものとする（すなわち、上述の濃度特性Ｌ１１を用いた場合と同様の出力が行われる）。
【００７７】
次に、プリンタ部４０は、印刷データ生成部１２０が生成した印刷データ（変更用印刷ドキュメントＰＤの印刷データ）を印刷用紙（媒体）に印刷（画像形成）する（Ｓ１２７）。
【００７８】
以上のように、ＭＦＰ１は、Ｗｅｂページ（ドキュメント一覧表示画面）を用いて、ユーザにいずれかのドキュメントファイルＤＦを選択させて、ドキュメント情報ＤＩを付加した変更用印刷ドキュメントＰＤを印刷する。
【００７９】
次に、ＭＦＰ１（印刷データ生成部１２０）で、変更用印刷ドキュメントＰＤを印刷する際の各ページの画像データの処理（上述のステップＳ１２６の処理）について図１０を用いて説明する。
【００８０】
まず、印刷データ生成部１２０が、図１０（Ａ）に示す画像Ｇ１０１の画像データを、印刷対象のドキュメントファイルＤＦに係る画像データとして取得（ドキュメント管理部１００から供給されたものを取得）したものとする。
【００８１】
そして、印刷データ生成部１２０は、画像Ｇ１０１の各画素の濃度を、変更印刷用の濃度特性（上述の図７に示す濃度特性Ｌ１２）を用いて調整し、図１０（Ｂ）に示す画像Ｇ１０２を生成する。図１０（Ｂ）では、図示の都合上、濃度調整された画像を構成する線について点線（破線）で図示している。
【００８２】
そして、印刷データ生成部１２０は、濃度調整済の画像Ｇ１０２に対して、元の画像Ｇ１０１に対応するドキュメント情報ＤＩの画像を付加し、図１０（Ｃ）に示す画像Ｇ１０３を生成し、変更用印刷ドキュメントＰＤの画像データとして出力する。図１０（Ｃ）に示す画像Ｇ１０３では、左上の端に「１２３４ＡＢ  ０００１  ０１」というドキュメント情報ＤＩを表す文字列の画像が付加されている。
【００８３】
次に、ＭＦＰ１で、変更済みドキュメントＣＤに基づいて、記憶部７０（ドキュメントファイル記録部７１）のドキュメントファイルＤＦを更新する処理（上述のステップＳ１０２〜Ｓ１０９の処理）の具体例について図１１、図１２を用いて説明する。
【００８４】
まず、上述のステップＳ１０２の処理で、ドキュメント情報検出部８０が、図１１（Ａ）に示す画像Ｇ２０１の画像データを、変更済みドキュメントＣＤを構成する画像データとして取得（スキャナ部２０から供給されたものを取得）したものとする。図１１（Ａ）に示すように、画像Ｇ２０１には、「１２３４ＡＢ  ０００１  ０１」というドキュメント情報ＤＩを表す文字列の画像が付加されているため、ドキュメント情報検出部８０はこれを検出することができる。
【００８５】
次に、上述のステップＳ１０４の処理で、ドキュメント管理部１００が、検出した「１２３４ＡＢ  ０００１  ０１」というドキュメント情報ＤＩに対応する画像データとして、ドキュメントファイル記録部７１から、図１１（Ｂ）に示す画像Ｇ１０１（上述の図１０の画像Ｇ１０１と同様の画像）を取得したものとする。
【００８６】
次に上述のステップＳ１０６の処理で、ドキュメント情報削除部９０が、変更済みドキュメントＣＤの画像Ｇ２０１（図１１（Ａ））から、「１２３４ＡＢ  ０００１  ０１」というドキュメント情報ＤＩを表す文字列の画像を除去（例えば、背景色の画素値で塗りつぶして除去）し、図１２（Ａ）に示す画像Ｇ２０２を生成する。
【００８７】
次に、ステップＳ１０７で、ドキュメントファイル生成部３０が、上述の画像Ｇ２０２を解像度変換（ドキュメントファイルＤＦと同じサイズ、同じ解像度の画像へと変換）し、元となる画像（上述の図１０（Ｂ）に示すＧ１０２）との差分（ユーザが描き加えた部分）を抽出した画像として図１２（Ｂ）に示す画像Ｇ２０３を生成する。ドキュメントファイル生成部３０が、元の画像Ｇ１０２と、変更後の画像Ｇ２０２との差分を抽出する処理としては、例えば、画像Ｇ２０２の最大濃度レベルの５０％より濃度が低い部分（明るい部分）を除去（例えば、背景色の画素値で塗りつぶして除去）するようにしてもよい。元の画像Ｇ１０２は、最大出力濃度が最大入力濃度の５０％となるように調整されているため、変更済みドキュメントＣＤでユーザが描き加えた部分が、図１１（Ａ）に示すように黒色のペン等濃度の濃い筆記用具で描かれている場合には、ユーザが描き加えた部分の濃度は、元の画像Ｇ１０２と比較して非常に濃くなる（最大濃度に近い濃度となる）。この場合、画像Ｇ２０２の最大濃度レベルの５０％より濃度が低い部分（明るい部分）を除去すれば、図１２（Ｂ）の画像Ｇ２０３に示すように、ユーザが描き加えた部分（すなわち、元の画像Ｇ１０２と、変更後の画像Ｇ２０２との差分）のみが残存することになる。
【００８８】
したがって、変更用印刷ドキュメントＰＤに対してユーザが変更を加える際の筆記用具にはできるだけ濃度の濃いものを用いることが望ましい。なお、ドキュメントファイル生成部３０で用いる濃度特性Ｌ１２では最大濃度レベルの５０％を上限としているがそれ以外の値を上限とする濃度特性を用いるようにしてもよい。
【００８９】
次に、ドキュメントファイル生成部３０は、ドキュメントファイル記録部７１に記憶されているドキュメントファイルＤＦの画像Ｇ１０１（上述の図１１（Ｂ））と、ユーザによる変更部分のみを抽出した画像Ｇ２０３（上述の図１２（Ｂ））とを合成した画像として、図１２（Ｃ）に示す画像Ｇ２０４を生成する。
【００９０】
次に、上述のステップＳ１０９で、ドキュメント管理部１００が、合成により生成した画像Ｇ２０４の画像データを、「１２３４ＡＢ  ０００１  ０１」というドキュメント情報ＤＩに対応する画像データとして、ドキュメントファイル記録部７１に記憶すると共に、ドキュメント情報記録部７２を更新する処理を行う。
【００９１】
なお、ドキュメントファイル生成部３０は、変更済みドキュメントＣＤの各ページの画像データの画像から、ユーザにより変更が加えられた部分を抽出する際に、除去する濃度の閾値（フィルタの閾値）として、「最大濃度レベルの５０％」（濃度特性Ｌ１２の最大濃度レベル）以外の濃度を適用するようにしてもよい。
【００９２】
（Ａ−３）第１の実施形態の効果
第１の実施形態によれば、以下のような効果を奏することができる。
【００９３】
ＭＦＰ１では、変更用印刷ドキュメントＰＤとして、濃度特性Ｌ１２（元の画像よりも濃度を低く抑え、かつ、最大濃度レベルの５０％を上限とする特性）に基づいて濃度調整し、ドキュメント情報ＤＩを付加した画像を適用している。そして、ＭＦＰでは、変更用印刷ドキュメントＰＤについて、ユーザに一部の内容が変更された（描き加えられた）変更済みドキュメントＣＤを読込んで、ユーザが変更した部分だけを抽出して、ドキュメントファイルＤＦの画像に合成して更新している。これにより、ＭＦＰ１では、ドキュメントファイルＤＦのうち、ユーザにより変更が加えられたページのみをスキャナ部２０で読み取ることにより、元のドキュメントファイルＤＦの変更されたページのみを、自動で入れ換えることが可能となり、ユーザの利便性が向上する。
【００９４】
また、ＭＦＰ１では、変更済みドキュメントＣＤからユーザが変更した部分の画像を抽出して、元となるドキュメントファイルＤＦの画像と
合成する処理（上述のステップＳ１０７〜Ｓ１０９の処理）を行っている。これにより、ドキュメントファイルＤＦは、何度更新を繰り返しても、全ての画像データについて１度だけスキャナ部２０で読み込まれた画像の組合せで構成されることになる。したがって、ＭＦＰ１では、ドキュメントファイルＤＦの更新を繰り返しても画像データが劣化しにくいという効果を奏する。
【００９５】
（Ｂ）第２の実施形態
以下、本発明による画像処理装置及び方法の第２の実施形態を、図面を参照しながら詳述する。この実施形態では、本発明の画像形成装置をＭＦＰに適用した例について説明する。
【００９６】
（Ｂ−１）第２の実施形態の構成
図１３は、第２の実施形態のＭＦＰ１Ａの機能的構成について示したブロック図であり、第１の実施形態（上述の図１）と同一又は対応する部分には同一又は対応する符号を付している。
【００９７】
情報端末３Ａは、ネットワーク４経由でＭＦＰ１Ａと接続されており、情報端末３ＡにはＷｅｂページを閲覧するためのＷｅｂブラウザ３１、Ｅメール通信を行うためのメールクライアント３２、及び画像データ（例えばビットマップ形式の画像ファイル等）を編集可能なアプリケーションソフトである画像編集アプリケーション３３がインストールされている。
【００９８】
第２の実施形態のＭＦＰ１Ａでは、Ｅメール通信部１３０及びダウンロードファイル生成部１４０が追加されている点で、第１の実施形態と異なっている。
【００９９】
Ｅメール通信部１３０は、ネットワーク４経由でＥメール(電子メール)のデータ送受信を行うものである。Ｅメール通信部１３０としては、例えば、種々のメールクライアントを適用することができる。
【０１００】
ダウンロードファイル生成部１４０は、ドキュメント一覧表示画面で選択されたドキュメントファイルＤＦの各ページの画像データについて加工を施し、各ページの画像データにドキュメント情報生成部１１０で生成されたドキュメント情報ＤＩを付加したファイルをダウンロード用のファイル（以下、「変更用ダウンロードファイルＰＦ」と呼ぶ）を生成するものである。
【０１０１】
ここでは、ダウンロードファイル生成部１４０は、変更用ダウンロードファイルＰＦを生成する際に、ドキュメントファイルＤＦの各ページの画像データを構成する各画素について、少なくとも元の画素以上の輝度となるように輝度調整を行う。具体的には、ダウンロードファイル生成部１４０は、変更用ダウンロードファイルＰＦを生成する際に、最小輝度が最大輝度の５０％となる様に制限し、変更された箇所と元画像部分との判別性を良くすると共に、情報端末３Ａの表示画面サイズに応じてドキュメントファイルＤＦのページサイズを変更する加工処理を行うものとする。
【０１０２】
なお、変更用ダウンロードファイルＰＦを構成する各ページの画像データのデータ形式については限定されないものであるが、例えば、ビットマップ形式、ＪＰＥＧ形式、ＰＤＦ形式等の種々のデータ形式を適用することができる。
【０１０３】
図１４（Ａ）は、ダウンロードファイル生成部１４０によって生成されたドキュメントファイル変更用の変更用ダウンロードファイルＰＦの構成例である。ユーザは情報端末３Ａにインストールされている画像編集アプリケーション３３を使用して、変更用ダウンロードファイルＰＦを直接変更することが可能である。なお、各ページに付加するドキュメント情報ＤＩには、第１の実施形態と同様に、予め規定された形式の英数字の画像パターンが利用される。また、ドキュメント情報ＤＩを付加する位置と領域に関しても、第１の実施形態と同様に予め規定されているものとする。
【０１０４】
ユーザは、画像編集アプリケーション３３を使用して、変更用ダウンロードファイルＰＦを直接変更（例えば、輝度の低い色で画像を描き加える編集）を行うことができる。さらに、ユーザは、メールクライアント３２を用いて、ＭＦＰ１Ａを宛先（所定のメールアドレスを宛先）とする電子メールに、変更後の変更用ダウンロードファイルＰＦを添付（以下、この添付ファイルを「添付ファイルＡＦ」と呼ぶ）して送信することができる。これにより、ＭＦＰ１Ａ（Ｅメール通信部１３０）では、受信した電子メールの添付ファイルＡＦを取得することができる。
【０１０５】
図１４（Ｂ）は、添付ファイルＡＦを構成する各ページの画像データの構成例について示した説明図である。図１４（Ｂ）では、元の変更用ダウンロードファイルＰＦのうち変更が加えられた１、３、５ページ目の画像データのみが添付ファイルＡＦとして添付されていたことを示している。
【０１０６】
次に、ダウンロードファイル生成部１４０が変更用ダウンロードファイルＰＦを生成する際の輝度特性について図１５を用いて説明する。
【０１０７】
図１５は、ダウンロードファイル生成部１４０が変更用ダウンロードファイルＰＦ生成の際に用いる輝度特性をグラフ形式で図示したものである。
【０１０８】
図１５のグラフは、横軸が入力される画素の輝度（ドキュメントファイルＤＦを構成する画像データの画素値が示す輝度）を示しており、縦軸が入力輝度に対して出力される画素の輝度（変更用ダウンロードファイルＰＦの画素の輝度）を示している。
【０１０９】
ダウンロードファイル生成部１４０は、ドキュメントファイルＤＦを加工せずに単にダウンロード（以下、「通常ダウンロード」と呼ぶ）する場合には、通常印刷用の輝度特性Ｌ２１を用い、入力値に対し１００％の出力を行ったファイルを生成する。なお、ダウンロードファイル生成部１４０はドキュメントファイルＤＦ自体をそのまま通常ダウンロード用ファイルとして出力するようにしてもよい。
【０１１０】
一方、ダウンロードファイル生成部１４０は、変更用ダウンロードファイルＰＦの生成には、変更印刷用の輝度特性Ｌ２２を用いて、ドキュメントファイルＤＦの各ページの画像データの加工を行う。輝度特性Ｌ２２は、薄い部分（輝度が高い部分）の再現性を極力維持しつつ、最小出力輝度が最大入力輝度の５０％以上となる様に調整されている。
【０１１１】
例えば、ドキュメントファイルＤＦの各ページの画像データを構成する各画素の輝度が０〜２５５の間のいずれかで示される場合の例について説明する。この場合、ダウンロードファイル生成部１４０は、ドキュメントファイルＤＦに基づいて通常ダウンロード用のダウンロードファイルを生成する際、元となる各ページの画像データの輝度をそのまま通常ダウンロード用のダウンロードファイルに適用する。
【０１１２】
また、ダウンロードファイル生成部１４０は、ドキュメントファイルＤＦを、変更用ダウンロードファイルＰＦに変換する場合、輝度特性Ｌ２２に基づいて、変更用ダウンロードファイルＰＦの最小出力輝度を最大入力輝度の５０％（＝２５５＊０．５≒１２７）以上となるように調整する。また、ダウンロードファイル生成部１４０は、ドキュメントファイルＤＦに基づいて、変更用ダウンロードファイルＰＦを生成する場合、輝度特性Ｌ２２に基づいて、輝度が高い部分（濃度が低い部分）についても再現性を極力維持するように調整する。図１５に示すように、輝度特性Ｌ２２では、入力の画素値の輝度が高い場合（濃度が低い場合）には、出力輝度をほぼ入力輝度と同じ値となるように調整している。
【０１１３】
なお、ダウンロードファイル生成部１４０で用いる輝度特性Ｌ２２では最大輝度レベルの５０％を下限としているがそれ以外の値を下限とする輝度特性を用いるようにしてもよい。また、第２の実施形態では、ダウンロードファイル生成部１４０は、変更用ダウンロードファイルＰＦの生成に上述の輝度特性Ｌ２２を用いて各画素値の輝度を変換するが、第１の実施形態と同様に濃度特性Ｌ１２を用いて各画素値の濃度を変換する処理に置き換えるようにしてもよい。
【０１１４】
第２の実施形態では、ドキュメントファイル生成部３０は、添付ファイルＡＦの各ページの画像データの画像から、上述の輝度特性Ｌ２２に基づいて、ユーザにより変更が加えられた部分（描き加えられた部分）を抽出して、元のドキュメントファイルＤＦの画像と合成した画像を生成する処理（上述の図１０、図１１に示す処理と同様の処理）を行う。このとき、ドキュメントファイル生成部３０は、添付ファイルＡＦの各ページの画像データの画像から、最大輝度レベルの５０％より輝度が高い部分（明るい部分）を除去（輝度特性Ｌ２２に基づくフィルタ処理）を施すことにより、ユーザにより変更が加えられた部分（描き加えられた部分）の画像を抽出することができる。
【０１１５】
なお、ドキュメントファイル生成部３０は、添付ファイルＡＦの各ページの画像データの画像から、ユーザにより変更が加えられた部分を抽出する際に、除去する輝度の閾値（フィルタの閾値）として、「最大輝度レベルの５０％」（輝度特性Ｌ２２の最大輝度レベル）以外の値を適用するようにしてもよい。
【０１１６】
以上のように、第２の実施形態では、ダウンロードファイル生成部１４０が、輝度調整手段、画像識別情報追加手段、及び画像処理手段として機能する。また、第２の実施形態では、Ｅメール通信部１３０が、画像取得手段及び通信手段として機能する。
【０１１７】
（Ｂ−２）第２の実施形態の動作
次に、以上のような構成を有する第２の実施形態のＭＦＰ１Ａの動作について図１６、図１７のフローチャートを用いて説明する。
【０１１８】
図１６は、ＭＦＰ１ＡのＥメール通信部１３０で、Ｅメールを受信した場合の動作について示したフローチャートとなっている。
【０１１９】
まず情報端末３Ａ（画像編集アプリケーション３３）からＭＦＰ１Ａを宛先とするＥメールが送信され、Ｅメール通信部１３０で、そのＥメールが受信されたものとする（Ｓ２０１）。
【０１２０】
次に、Ｅメール通信部１３０は、受信したＥメールに添付ファイルＡＦの有無を確認し（Ｓ２０２）、添付ファイルＡＦが添付されている場合には後述するステップＳ２０３から動作し、添付されていない場合には、当該Ｅメールに係る処理を終了する。
【０１２１】
一方、Ｅメール通信部１３０は、添付ファイルＡＦが添付されていた場合（Ｓ２０２：Ｙｅｓ）、添付ファイルＡＦを取得する（Ｓ２０３）。
【０１２２】
次に、ドキュメント情報検出部８０が、添付ファイルＡＦの各ページの予め規定された領域内（左上の端部）に、予め規定された形式の英数字の画像パターンで構成されるドキュメント情報ＤＩが付加されているかの検出を試み（Ｓ２０４）、結果を確認する（Ｓ２０５）。ＭＦＰ１Ａは、添付ファイルＡＦからドキュメント情報ＤＩが検出された場合には後述するステップＳ２０６から動作し、検出できなかった場合には、後述するステップＳ２１２から動作する。
【０１２３】
添付ファイルＡＦの各ページの画像データから、ドキュメント情報ＤＩが検出された場合（Ｓ２０５：Ｙｅｓ）、ドキュメント管理部１００は、ドキュメント情報検出部８０が検出した英数字の組み合わせと一致するドキュメント情報ＤＩが、ドキュメント情報記録部７２に記録されているかを検索する。そして、ドキュメント管理部１００は、添付ファイルＡＦの元となったドキュメントファイルＤＦが記録されているディレクトリを取得する（Ｓ２０６）。
【０１２４】
次に、ドキュメントファイル生成部３０は、取得したドキュメントファイルＤＦの記録場所（ディレクトリ）をドキュメント管理部１００から取得し、ドキュメントファイル記録部７１から当該ドキュメントファイルＤＦのデータを取得する（Ｓ２０７）。
【０１２５】
次に、ドキュメント情報削除部９０は、添付ファイルＡＦから検出したドキュメント情報ＤＩの部分を、背景色の画素で塗りつぶすことにより、ドキュメント情報ＤＩを除去する（Ｓ２０８）。
【０１２６】
次に、ドキュメントファイル生成部３０は、添付ファイルＡＦをドキュメントファイルＤＦと同じサイズかつ、同じ解像度の画像へ変換後、輝度特性Ｌ２２に基づいた処理（画像の最大レベルの５０％より明るい部分を除去）を行い、ユーザが変更した箇所を画像として抽出する（Ｓ２０９）。
【０１２７】
次に、ドキュメントファイル生成部３０は、抽出した画像（ユーザが変更した箇所の画像）と、元のドキュメントファイルＤＦの変更されたページの画像とを合成する（Ｓ２１０）。
【０１２８】
次に、ドキュメントファイル生成部３０は、変更したドキュメントファイルＤＦを、ドキュメントファイル記録部７１内の元のディレクトリヘ記録する（Ｓ２１１）。
【０１２９】
一方、上述のステップＳ２０５で、添付ファイルＡＦの各ページの画像データから、ドキュメント情報ＤＩが検出されなかった場合（Ｓ２０５：Ｎｏ）、操作部１０が、ユーザに対して、新規にドキュメントファイルＤＦを登録するか否かを問い合わせる処理を行う（Ｓ２１２）。操作部１０が、ユーザに新規にドキュメントファイルＤＦを登録するか否かを問い合わせる方式については限定されないものであるが、例えば、図示しないタッチパネル画面を用いたインタフェース（操作画面）によりユーザ操作を受付ける方式としてもよい。ここでは、例として、操作部１０は、図示しないタッチパネル画面に、ドキュメントファイルＤＦを新規登録する旨を受付けるためのソフトウェアボタンを表示し、一定期間内に当該ソフトウェアボタンが押下された場合に、ユーザからドキュメントファイルＤＦの新規登録を受付けたものとして処理するものとする。ＭＦＰ１Ａでは、一定期間内に、上述のドキュメントファイルＤＦを新規登録する旨を受付けるためのソフトウェアボタンが押下された場合に後述するステップＳ２１４から動作し、そうでない場合には当該添付ファイルＡＦに係る処理を終了するものとする。
【０１３０】
上述のステップＳ２１３で、ユーザからドキュメントファイルＤＦの新規登録を受付けると（Ｓ２１３：Ｙｅｓ）、操作部１０が、ユーザに新規のドキュメントファイルＤＦに係るユーザＩＤとファイル名の入力を要求し（Ｓ２１４）、ユーザから入力を受付ける（Ｓ２１５）。なお、ステップＳ２１４、Ｓ２１５の処理は第１の実施形態の処理（ステップＳ１１２、Ｓ１１３）と同様の処理であるため、詳しい説明については省略する。なお、ＭＦＰ１Ａでは、操作部１０でなく、Ｗｅｂページ制御部６０を用いてＷｅｂ画面で、新規のドキュメントファイルＤＦの登録確認、ユーザＩＤ及びファイル名入力を受付けるようにしてもよい。また、ＭＦＰ１Ａでは、添付ファイルＡＦの本文で、新規のドキュメントファイルＤＦの登録確認、ユーザＩＤ及びファイル名の入力を受付けるようにしてもよい。
【０１３１】
ＭＦＰ１Ａにおける以後のステップＳ２１６〜Ｓ２２０の処理は、第１の実施形態の処理（ステップＳ１１４〜Ｓ１１８）と同様であるため、詳しい説明は省略する。
【０１３２】
以上のようにＭＦＰ１Ａでは、ユーザによって変更が加えられた変更済みの添付ファイルＡＦを、Ｅメールで受信し、ドキュメントファイル記録部７１に記録されている元のドキュメントファイルＤＦの変更されたページのみを更新する処理を行う。
【０１３３】
図１７は、ＭＦＰ１Ａが、ユーザの操作（情報端末３）に応じて、ドキュメントファイルＤＦに基づく変更用ダウンロードファイルＰＦをダウンロードさせる動作について示したフローチャートである。
【０１３４】
まず、ユーザが情報端末３Ａ（Ｗｅｂブラウザ３１）を用いて、ＭＦＰ１（Ｗｅｂページ制御部６０）にアクセス（所定のＵＲＬを用いてアクセス）し（Ｓ２２１）、ユーザＩＤ及びパスワードが入力されログインが成功（認証が成功）したものとする（Ｓ２２２）。
【０１３５】
ログイン完了すると、Ｗｅｂページ制御部６０は、ドキュメント一覧表示画面のＷｅｂページを、情報端末３（Ｗｅｂブラウザ３１）に送信して表示（ユーザに提示）させる（Ｓ２２３）。
【０１３６】
そして、ユーザ操作により、ドキュメント一覧表示画面で、いずれかのドキュメントファイルＤＦが選択されたものとする（Ｓ２２４）。
【０１３７】
ドキュメント一覧表示画面で、ドキュメントファイルＤＦが選択されると、Ｗｅｂページ制御部６０は、変更用ダウンロードファイルＰＦの変更に使用する情報端末３Ａの表示画面サイズを問い合わせる（Ｓ２２５）。Ｗｅｂページ制御部６０は、例えば、情報端末３Ａ（Ｗｅｂブラウザ３１）でサポートされる種々のアプリケーションインタフェースを用いて、情報端末３Ａの表示画面サイズを問い合わせるようにしてもよい。
【０１３８】
次に、ドキュメント管理部１００は、選択されたドキュメントファイルＤＦのドキュメント情報ＤＩを、ドキュメント情報生成部１１０に生成させる（Ｓ２２６）。
【０１３９】
次に、ダウンロードファイル生成部１４０は、ドキュメントファイル記録部７１に記録されている選択されたドキュメントファイルＤＦに対し、情報端末３Ａの表示画面サイズに応じてドキュメントサイズを縮小する処理を行う（Ｓ２２７）。なお、この実施形態の例では、情報端末３Ａの表示画面サイズが１０インチ以上の場合は１００％、５インチ以上１０インチ未満の場合は７５％、５インチ未満の場合は５０％へと縮小させるものとするが、これら以外の縮小率を用いることも可能である。
【０１４０】
次に、ダウンロードファイル生成部１４０は、縮小されたドキュメントファイルＤＦの各ページの画像データに対し、変更用ダウンロードファイルＰＦ用の輝度特性Ｌ２２を用いて、最小輝度を明るくし、ドキュメント情報生成部１１０が生成したドキュメント情報ＤＩの画像を付加した画像データの生成を行う。そして、ダウンロードファイル生成部１４０は、それらの画像データをまとめて、変更用ダウンロードファイルＰＦとして生成する（Ｓ２２８）。なお、変更用ダウンロードファイルＰＦに付加されるドキュメント情報ＤＩの画像に対しては、判読性を維持させる必要があるため出力輝度の調整は行わないものとする。
【０１４１】
次に、Ｗｅｂページ制御部６０は、生成された変更用ダウンロードファイルＰＦをネットワーク制御部５０の制御で情報端末３Ａへと送信する（Ｓ２２９）。
【０１４２】
以上のように、ＭＦＰ１Ａでは、Ｗｅｂページ上のドキュメント一覧表示画面で選択されたドキュメントファイルＤＦに、ドキュメント情報ＤＩを付加した変更用ダウンロードファイルＰＦを生成して、情報端末３Ａにダウンロードさせる。
【０１４３】
（Ｂ−３）第２の実施形態の効果
第２の実施形態によれば、第１の実施形態の効果に加えて、以下のような効果を奏することができる。
【０１４４】
ＭＦＰ１Ａでは、変更用ダウンロードファイルＰＦとして、輝度特性Ｌ２２（元の画像よりも輝度を高くし、かつ、最大輝度レベルの５０％を下限とする特性）に基づいて輝度調整し、ドキュメント情報ＤＩを付加した画像を適用している。そして、ＭＦＰ１Ａでは、変更用ダウンロードファイルＰＦについて、ユーザに一部の内容が変更された（描き加えられた）添付ファイルＡＦ（Ｅメールの添付ファイル）を読込んで、ユーザが変更した部分だけを抽出して、ドキュメントファイルＤＦの画像に合成して更新している。これにより、ＭＦＰ１Ａでは、ドキュメントファイルＤＦのうち、ユーザにより変更が加えられたページのみを添付ファイルＡＦから抽出することにより、元のドキュメントファイルＤＦの変更されたページのみを、自動で入れ換えることが可能となり、ユーザの利便性が向上する。
【０１４５】
また、第２の実施形態のＭＦＰ１Ａでは、情報端末３Ａの画像編集アプリケーション３３を使用してドキュメントファイル（変更用ダウンロードファイルＰＦ）に直接変更を加える事が可能となる。また、ＭＦＰ１Ａでは、変更を加えたドキュメントファイル（添付ファイルＡＦ）をＥメールに添付して送信することにより、ドキュメントファイルＤＦのうち変更されたページの入れ換えを、電子データ上でのみ行うことができるため（スキャナ部２０での読取工程が無いため）、第１の実施形態に比べ画質の劣化を防止することが可能となる。
【０１４６】
（Ｃ）他の実施形態
本発明は、上記の各実施形態に限定されるものではなく、以下に例示するような変形実施形態も挙げることができる。
【０１４７】
（Ｃ−１）上記の実施形態では、本発明の画像処理装置をＭＦＰに適用する構成について示したが、スキャナ及びプリンタを備えるコンピュータを用いて実現するようにしてもよい。
【０１４８】
また、上記の各実施形態では、ＭＦＰ内部の記憶装置ドキュメントファイルＤＦを記録する構成で説明を行ったが、ＭＦＰとネットワークで接続されたファイルサーバヘドキュメントファイルを記録させる構成（記憶部７０を外部に設置する構成）での実現も可能である。
【０１４９】
（Ｃ−２）上記の各実施形態のＭＦＰでは、ドキュメントファイルＤＦをページごとに更新する処理（例えば、上述のフローチャートのステップＳ１０９、Ｓ２１１の処理）について説明したが、更新の履歴を保持して、出力（例えば、印刷出力や、情報端末３へのファイル送信による出力）を可能とする構成としてもよい。
【０１５０】
（Ｃ−３）上記の各実施形態では、１人のユーザが変更用印刷ドキュメントＰＤ（変更用ダウンロードファイルＰＦ）に変更を加えて、ドキュメントファイルＤＦを更新する例について示したが、同じ変更用印刷ドキュメントＰＤ（変更用ダウンロードファイルＰＦ）に変更を加えるユーザは１人に限定されないものである。例えば、同一の変更用印刷ドキュメントＰＤ（変更用ダウンロードファイルＰＦ）の同一のページに複数人のユーザがそれぞれ変更を加えて、それぞれがＭＦＰに読み込ませてドキュメントファイルＤＦが更新された場合、それぞれのユーザが変更した内容（変更部分の画像）の組合せが、ドキュメントファイルＤＦに反映されることになる。
【符号の説明】
【０１５１】
１…ＭＦＰ、１０…操作部、２０…スキャナ部、３０…ドキュメントファイル生成部、４０…プリンタ部、５０…ネットワーク制御部、６０…Ｗｅｂページ制御部、７０…記憶部、７１…ドキュメントファイル記録部、７２…ドキュメント情報記録部、８０…ドキュメント情報検出部、９０…ドキュメント情報削除部、１００…ドキュメント管理部、１１０…ドキュメント情報生成部、１２０…印刷データ生成部、３…情報端末、３１…Ｗｅｂブラウザ、４…ネットワーク。
【図１】
2015144397.tif 000003
【図２】
2015144397.tif 000004
【図３】
2015144397.tif 000005
【図４】
2015144397.tif 000006
【図５】
2015144397.tif 000007
【図６】
2015144397.tif 000008
【図７】
2015144397.tif 000009
【図８】
2015144397.tif 000010
【図９】
2015144397.tif 000011
【図１０】
2015144397.tif 000012
【図１１】
2015144397.tif 000013
【図１２】
2015144397.tif 000014
【図１３】
2015144397.tif 000015
【図１４】
2015144397.tif 000016
【図１５】
2015144397.tif 000017
【図１６】
2015144397.tif 000018
【図１７】
2015144397.tif 000019